(57)【要約】      （修正有）【課題】大型弦楽器の演奏時に演奏者の一部身体が弦楽器の裏板に当接して弦楽器本来の振動特性を抑制または阻害することを防ぐ、大型弦楽器の演奏時保持補助具を提供する。【解決手段】大型弦楽器の演奏時保持補助具は、大型弦楽器裏面の裏板を横断する長さの基板の両端部分に、それぞれ中心軸線について回転自在なほぼＵ字形の保持脚でなる一対の裏板端縁把持具を基板面に直立させてなり、弾性カバーを被着した保持脚で弦楽器の裏板の両側端縁で挟み、裏板と基板の間に隙間をおいて取付けて使用する。演奏時、従来は直接弦楽器の裏板に当接していた演奏者の腹部、腰あるいは膝は保持補助具の基板によりブロックされる。【選択図】図３
0003145080.tif 000002
【実用新案登録請求の範囲】
【請求項１】
少なくとも大型弦楽器の裏板を横断して越える長さを有する基板と、基板の両端において基板に取付けた一対の裏板端縁把持具とでなり、裏板端縁把持具はそれぞれ基板の一面上に固定される基台ならびに基板の一面に対して直角な基台の軸線に沿う回転軸について回転可能にかつ互いに平行に立設されるほぼＵ字形状の一対の保持脚でなり、保持脚は裏板端縁を保持したときに裏板と基板の間に間隙をとるに充分な長さを有することを特徴とする、大型弦楽器の演奏時保持補助具。
【請求項２】
一対の裏板端縁把持具の少なくとも一方は基板の長手方向位置を調節可能に基板に取り付けることを特徴とする、請求項１記載の大型弦楽器の演奏時保持補助具。
【請求項３】
裏板端縁把持具の保持脚は表面に弾性カバーを有する丸棒でなることを特徴とする、請求項１または２記載の大型弦楽器の演奏時保持補助具。
【考案の詳細な説明】
【技術分野】
【０００１】
この考案はチェロ、コントラバスのような大型の弦楽器を演奏する際に、共鳴胴の裏板を横断して弦楽器に取付けて置き、演奏者の身体が直接裏板に当たることを防いで、裏板の振動のみならず共鳴胴全体の共鳴振動を損なうことなく弦楽器を保持できるようにする保持補助具に関する。
【背景技術】
【０００２】
従来、チェロやコントラバスを含む大型の弦楽器を演奏する際には、尾部のエンドピンで床を突いて楽器を立て、演奏者は、チェロの場合椅子に座って共鳴胴を両膝の間に位置させ、楽器上部を左半身で抱え込むようにして楽器を保持し、コントラバスの場合は演奏者も立ち位置で左半身を楽器に添わせ、楽器上部を右半身で抱え込むが、椅子を用いる場合も楽器をやや寝かせるが通常より高い椅子を使うため、演奏者は立ち位置に近い姿勢で楽器を保持する。そして演奏姿勢によっては、チェロの場合であれば演奏者の腹部が、コントラバスの場合には左足が、特にその膝が裏板に当たり、裏板の振動を損なうことになる。
【０００３】
何れの場合も演奏者は常時高圧で裏板を押すことはないまでも、腹部あるいは脚部を共鳴胴の裏板に当てることによって裏板の振動に抑制を与え、弦の振動に伴う表板の振動が魂柱を介して裏板に円滑に伝わらず、共鳴胴全体の自然な共鳴振動が妨げられる。しかしながら、この問題は今日まで顧みられることなく、演奏者自身の演奏法による改善努力に委ねられ、積極的な改善策は未だ提案されていない。
【考案の開示】
【考案が解決しようとする課題】
【０００４】
本考案が解決しようとする課題は、従って、チェロやコントラバスのような大型の弦楽器の演奏者による楽器保持態様が弦楽器の振動特性に与える抑制作用を少なくとも低減し、望ましくは除去することである。
【０００５】
本考案は、従って、大型弦楽器の演奏の際に楽器に取付け、演奏者の腹部あるいは脚部が楽器の裏板に直接当接することを防止して弦楽器本来の振動特性を発揮させ、しかも演奏の妨げとならない、大型弦楽器の演奏時保持補助具を提供することを目的とする。
【課題を解決するための手段】
【０００６】
上記の目的を達成するため、本考案による第１の課題解決手段として、大型弦楽器の演奏時保持補助具は、少なくとも大型弦楽器の裏板を横断して越える長さを有する基板と、基板の両端において基板に取付けた一対の裏板端縁把持具とでなり、裏板端縁把持具はそれぞれ基板の一面上に固定される基台ならびに基板の一面に対して直角な基台の軸線に沿う回転軸について回転可能にかつ互いに平行に立設されるほぼＵ字形状の一対の保持脚でなり、保持脚は裏板端縁を保持したときに裏板と基板の間に間隙をとるに充分な長さを有することを特徴とする。
【０００７】
本考案による第２の課題解決手段は、第１の課題解決手段による大型弦楽器の演奏時保持補助具において、一対の裏板端縁把持具の少なくとも一方を基盤の長手方向の位置を調節可能に基板に取り付けることを特徴とする。
【０００８】
本考案により第３の課題解決手段は、第１または第２の課題解決手段による大型弦楽器の演奏時保持補助具において、裏板端縁把持具の保持脚は表面に弾性カバーを有する丸棒でなることを特徴とする。
【考案の効果】
【０００９】
本考案によれば、チェロやコントラバスのような大型の弦楽器の演奏者は、演奏に先立って本考案の保持補助具を楽器の裏側に装着する、つまり、好適には共鳴胴のくびれ部分を横断させて基板を楽器の裏側に差し渡し、基板両端の裏板端縁把持具のそれぞれ一対の保持脚を裏板の端縁に当接させ、裏板と基板の間に隙間を置いて裏板を両側から確実に把持する位置において裏板端縁把持具を基板に締め付け固定する。これによって演奏者が演奏のため楽器を保持する際、従来は演奏者の身体の一部が楽器裏板に直接当接していたが、保持補助具が身体の当接を代わりに受け、裏板の共鳴振動が妨げられることは確実に防止される。
【考案を実施するための最良の形態】
【００１０】
本考案による大型弦楽器の演奏時保持補助具の一実施例を、楽器から取り外した状態の図１、楽器に装着した状態の図２と３、および演奏状態の図４について説明する。
【実施例】
【００１１】
本考案による保持補助具１０は、細長い板状の基板１１と、基板１１の一面の両端近くに直立して取り付けた一対の裏板端縁把持具１２ａ、１２ｂとでなる。
【００１２】
基板１１は図では一例として瓢箪型あるいは雲形の曲線による外形を有し、一端側を広幅とし、他端側を細幅として、楽器演奏時における演奏者身体の一部の当たりを広幅側で受け易くするとともに、細幅側は全体の軽量化を図るが、本考案の基板１１は瓢箪型に限定されることなく、細長い長方形あるいは縦長の梯形のような直線形としても良い。また、基板１１の材質としては、硬質の木材とすることにより、基板の固有振動数を弦楽器の共鳴振動数と異ならせ、基板が共鳴しないようにする。従ってこのような共鳴振動を生じないものであれば、軽量の金属材や合成樹脂材を基板とすることもできる。
【００１３】
基板１１の両端部に直立する一対の裏板端縁把持具１２ａ、１２ｂは、それぞれ、中央に回転軸１３ａを直立させて基板１１の一面上に公知のボルトナット方式で取り付けられる基台１３と、中央において回転軸１３ａに回転自在に結合したほぼ弓状または棒状の回転台１４と、回転台１４の両端において互いに平行に直立させた一対の、望ましくは丸棒でなる保持脚１５と、保持脚１５のそれぞれに被着させて圧力吸収と滑り止め作用を呈する弾性カバー１６とで構成される。少なくとも一方の裏板端縁把持具、図１の場合１２ｂは、基板１１の長手方向に沿って取り付け位置を調整できるようにするため、基台１３を基板１１に締め付け固定するための図示しないボルトの貫通位置をスライド可能とする一対の取付長孔１７を介して基板１１に取付けされる。長孔とする代わりに、基板１１の長手方向に等間隔で並ぶ複数の孔としても良い。
【００１４】
裏板端縁把持具１２ａ，１２ｂのそれぞれの回転台１４と一対平行の保持脚１５は従ってほぼＵ字形をなし、２本の保持脚１５はそれらの中間を通る基台１３の回転軸１３ａの軸線について回転自在となる。そして、一方の裏板端縁把持具１２ｂの取付けを緩めて把持具１２ａ、１２ｂ間の間隔を最大にし、図３に見られるように、一対の裏板端縁把持具１２ａと１２ｂの間でコントラバス２０の共鳴胴のくびれ部分における裏板２２の両側端縁を把持し、裏板２２と基板１１の間に隙間をおく位置で裏板端縁把持具１２ｂを基板１１に締め付け固定し、保持補助具１０を弦楽器、ここではコントラバス２０に装着する。図示はしないが、チェロに対する装着も全く同様にして行われる。
【００１５】
弦楽器への装着の際、裏板端縁把持具１２ａ、１２ｂの各々において保持脚１５を回転自在な２本とすることは、１本の場合よりも曲線状の裏板端縁に対する確実な適合性と保持性が得られるためであり、また、保持脚１５に弾性カバー１６を被着することは、裏板端縁の保護と同時に裏板端縁に対する保持脚１５の摩擦力を増して、装着位置からの離脱を防止するためである。
【００１６】
図４はバスチェアＢＣを用いた演奏者Ｐによる、本考案の保持補助具１０を装着したコントラバス２０の演奏状態を示す。バスチェアＢＣは通常の椅子より高さがあるので座面に腰掛けても演奏者はほとんど右足で立ち、バスチェアＢＣの足掛けに載せた左足と腹部により、エンドピン２３を床に突いて立てたコントラバス２０の右側部を支える。この時、コントラバス２０の裏面側に装着した保持補助具１０の基板１１には演奏者の左膝ＬＫが当接して、コントラバス２０の裏板２２に直接当接することが防止され、コントラバスの本来の共鳴振動が妨げられることが防止される。バスチェアＢＣを用いずに立ち位置で演奏する場合には、演奏者の左腰が保持補助具１０の基板１１に当接し、同様の効果が達せられる。
【図面の簡単な説明】
【００１７】
【図１】本考案による大型弦楽器の演奏時保持補助具の非装着時における斜視図。
【図２】図１の保持補助具を裏面側に装着したコントラバスの、頭部を省略して示す正面図。
【図３】装着時における保持補助具を示し、図２のコントラバスの裏面側における斜視図。
【図４】図３に示すコントラバスを演奏する状態を、一部を省略して示す斜視図。
【符号の説明】
【００１８】
１０    保持補助具
１１    基板
１２ａ，１２ｂ    裏板端縁把持具
１３    基台
１３ａ    回転軸
１４    回転台
１５    保持脚
１６    弾性カバー
１７    取付長孔
２０    コントラバス
２１    表板
２２    裏板
２３    エンドピン
Ｐ      演奏者
ＬＫ    左膝
ＢＣ    バスチェア
【図１】
0003145080.tif 000003
【図２】
0003145080.tif 000004
【図３】
0003145080.tif 000005
【図４】
0003145080.tif 000006